(57)【特許請求の範囲】
【請求項１】
遊技盤の遊技領域に配置され遊技球入口と遊技球出口とを備えた誘導通路と、前記遊技領域に配置された特定入賞口と、該特定入賞口の上方に配置され前記遊技球出口から排出された遊技球を一旦受けた後で落下させるステージ部と、前記ステージ部の一側方に連設して配置され且つ可動盤面部品が収納位置にあるときにこれを収納する凹所と、前記ステージ部前端縁の下方の遊技盤面に該ステージ部前端縁に沿って配列された複数の遊技釘から構成されて遊技球を前記特定入賞口へ導く遊技球経路と、を備えた遊技球誘導装置に装備される遊技球跳ね防止装置であって、
前記ステージ部の前端縁に固定され、該ステージ部の前端縁に沿って前方へオーバーハングする庇片を備え、
前記庇片は、前記遊技球経路内を進行する遊技球が上方に跳ねて前記凹所内に進入することを防止するようにその突出長、及び突出幅を設定されており、
前記庇片には、前記ステージ部上の遊技球を前記特定入賞口、或いは前記特定入賞口以外の遊技領域へ導く導入穴が形成されていることを特徴とする遊技球跳ね防止装置。
【請求項２】
前記庇片は、前記特定入賞口の直上位置に相当する前記ステージ部前端縁の中央部に相当する庇片中央部と、前記凹所が設けられた一側方へ延びる庇片側方部とから連続形成されていることを特徴とする請求項１に記載の遊技球跳ね防止装置。
【請求項３】
前記ステージ部の上面と前記庇片の上面とは連続した上面を形成していることを特徴とする請求項１又は２に記載の遊技球跳ね防止装置。
【請求項４】
請求項１乃至３の何れか一項に記載の遊技球跳ね防止装置を備えたことを特徴とする遊技盤。
【請求項５】
請求項４に記載の遊技盤を備えたことを特徴とするパチンコ遊技機。
【発明の詳細な説明】
【技術分野】
【０００１】
本発明はパチンコ遊技機等に設けられる遊技球跳ね防止装置に関するものである。
【背景技術】
【０００２】
従来より、特定入賞口に遊技球が入る度に、液晶表示装置などの図柄表示装置により複数種類の図柄が表示され、表示図柄が所定図柄で停止すると大当たり状態になるパチンコ遊技機が知られている。この種のパチンコ遊技機には、遊技盤の遊技領域を流下する遊技球の流下態様を面白くし、かつ遊技領域に配設された特定入賞口、例えば図柄表示装置の変動契機である始動口に遊技球を誘導することを目的としてワープ式誘導装置と呼ばれる遊技球誘導装置が設けられている。
図４は本出願人の提案に係るパチンコ遊技機（未公知）の正面図であり、図５は図４のパチンコ遊技機の要部斜視図である。
このパチンコ遊技機１０１は、矩形形状の枠１０２を有し、この１０２枠の窓孔に対して遊技盤１０３が着脱可能に取り付けられている。
遊技盤１０３の前面側には、図示しないガラス枠が開閉可能に取り付けられている。また遊技盤１０３の下部には遊技球を貯留する受け皿部１０４と、受け皿部１０４の遊技球を発射する発射レバー１０５等が設けられている。
遊技盤１０３の中央には図柄表示装置１０５が配置され、図柄表示装置１０５を取り囲むように飾り枠を兼ねた遊技球誘導装置１１０が配置されている。遊技球誘導装置１１０は、遊技球入口１１１ａから入球した遊技球Ｂを誘導する遊技球誘導通路１１１と、遊技球誘導通路１１１の遊技球出口１１１ｂからの遊技球Ｂを一旦受けた後、前縁部から落下させるステージ部１１２と、を備えている。ステージ部１１２は、特定入賞口１１５の上方に位置しており、ステージ部前端縁から遊技球Ｂを遊技領域内に落下させることで、特定入賞口１１５に入球しやすくしたり、入球しそうな状態を頻繁に作り出すことができる。ステージ部の前面は遊技盤面とほぼ同じ位置にある。
遊技球誘導通路１１１が設けられた左側とは反対側のステージ部右側には、前飾り板１２０とギミック１２１が配置されており、前飾り板１２０の奥側には凹所１２２が形成されている。
【０００３】
一方、ステージ部１１２の前端縁の下側の遊技盤面には複数の遊技釘１２５が配列されており、左上から流下してきた遊技球Ｂを特定入賞口１１５に導くための遊技球経路１２６を形成している。
しかし、遊技球経路１２６を矢印方向Ａへ移動して特定入賞口１１５に向かう遊技球は、一旦特定入賞口１１５の直上に位置する遊技釘１２７、その他の部位に突き当たって上方に跳ね上がり易い。このため、跳ね上がる方向が矢印Ａで示すように凹所１２２へ向かう場合には凹所１２２内に入り込んで溜まってしまう虞がある。凹所１２２内に溜まった遊技球は前面から視認し易いため、遊技の興趣を減殺させる原因となる。また、ギミック１２１の正常な動作の障害の原因ともなる。
なお、先行文献として特許文献１、２等には、ステージ部における遊技球の流下態様の多様化を図ることにより遊技性を高めるようにしたパチンコ遊技機の遊技球誘導装置が開示されているが、ステージ部の側方に跳ね上がる遊技球を防止するための構成は一切開示されていない。
【特許文献１】特開２００３−２２５３８３公報
【特許文献２】特開２００５−１５２２０４公報
【発明の開示】
【発明が解決しようとする課題】
【０００４】
上記のように従来からパチンコ遊技機では、遊技球誘導装置のステージ部の下方に設けた特定入賞口に遊技球を導くための遊技釘群から成る誘導球経路を設けた場合に、誘導球経路を経て特定入賞口に進行してきた遊技球が特定入賞口近傍の遊技釘等に突き当たって上方に跳ね上がり、ステージ側方に設けた凹所内に入り込んで溜まり、遊技中における目障りな不快感を催させ、興趣を低下させる原因となっていた。
そこで、本発明は上記の問題点に鑑みてなされたものであり、パチンコ遊技機の遊技球誘導装置のステージ部の側方に設けられる凹所内にステージ部の下方に配置した遊技釘で跳ねた遊技球が入り込んで溜まることを防止することができる遊技球跳ね防止装置、これを備えた遊技盤、及びパチンコ遊技機を提供することを目的としている。
【課題を解決するための手段】
【０００５】
上記目的を達成するため、本発明に係る遊技球跳ね防止装置は、遊技盤の遊技領域に配置され遊技球入口と遊技球出口とを備えた誘導通路と、前記遊技領域に配置された特定入賞口と、該特定入賞口の上方に配置され前記遊技球出口から排出された遊技球を一旦受けた後で落下させるステージ部と、前記ステージ部の一側方に連設して配置された凹所と、前記ステージ部下方の遊技盤面に沿って配列された複数の遊技釘から構成されて遊技球を前記特定入賞口へ導く遊技球経路と、を備えた遊技球誘導装置であって、前記ステージ部の前端縁に沿って前方へオーバーハングする庇片を備え、前記庇片は、前記遊技球経路内を進行する遊技球が上方に跳ねて前記凹所内に進入することを防止するようにその突出長、突出幅を設定されていることを特徴とする。
庇片は遊技球が凹所内に入り込んで溜まることを防止することにより、遊技中における目障りな不快感を催させる等の不具合を解消できる。
本発明に係る遊技球跳ね防止装置は、前記庇片は、前記特定入賞口の直上位置を含む前記ステージ部の中央部と、前記凹所が設けられた一側方へ延びる側方部とから連続形成されていることを特徴とする。
本発明に係る遊技球跳ね防止装置は、前記庇片には、前記ステージ部上の遊技球を前記特定入賞口へ導く導入穴が形成されていることを特徴とする。
本発明に係る遊技球跳ね防止装置は、前記庇片には、前記ステージ部上の遊技球を前記特定入賞口以外の遊技領域へ導く導入穴が形成されていることを特徴とする。
【０００６】
本発明に係る遊技球跳ね防止装置は、前記ステージ部の上面と前記庇片の上面とは連続した上面を形成していることを特徴とする。
庇片がステージ部の上面を前方に延長形成した形で連設されているので、ステージ部上にある遊技球に対して変化に富んだ挙動を付与することができる。
本発明に係る遊技球跳ね防止装置は、前記凹所は、可動盤面部品を収納して停止させる位置であることを特徴とする。
凹所内に遊技球が存在する状態では可動盤面部品を定位置に停止させることができなくが、庇片があることによりこのような不具合を解消できる。
本発明に係る遊技盤は、前記遊技球跳ね防止装置を備えたことを特徴とする。
本発明に係るパチンコ遊技機は、前記遊技盤を備えたことを特徴とする。
【発明の効果】
【０００７】
本発明によれば、ステージ部の前端縁に沿って前方へオーバーハングする庇片を一体的に突設したので、ステージ部直下にある遊技球経路内を進行する遊技球が特定入賞口の近傍に設けた遊技釘等に衝突して斜め上方に跳ねて凹所内に侵入することを防止することができる。このため、遊技球が凹所内に入り込んで溜まることにより、遊技中における目障りな不快感を催させ、興趣を低下させることがなくなる。また、可動盤面部品が凹所内に収納されている時に遊技球が溜まっていると、可動盤面部品を凹所内の正規の位置で停止させることができなくなって、可動盤面部品の一部が遊技領域側に突出するなどの不具合も発生するが、本発明によればそのような不具合も解決することができる。
【発明を実施するための最良の形態】
【０００８】
以下、本発明を図面に示した実施の形態により詳細に説明する。
図１は本発明の実施の形態に係るパチンコ遊技機の全体正面図であり、図２はその要部を斜め上方から見た斜視図であり、図３は庇片の構成を示す拡大斜視図である。
パチンコ遊技機１は、矩形形状の枠２を有し、この枠２の窓孔に対して裏側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
遊技盤３の略中央には、図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
図柄表示装置９の下方には、図柄表示装置９の特別図柄を可変表示させるための可変入賞装置１１が設けられている。
【０００９】
また、図柄表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット（特定入賞口）１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
【００１０】
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット（特定入賞口）１４、又は電動式チューリップの開成動作により遊技球が誘導される図示しない下始動口への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
【００１１】
更に、図柄表示装置９を取り囲むように飾り枠を兼ねた遊技球誘導装置２０が配置されている。遊技球誘導装置２０は、遊技球入口２１ａから入球した遊技球Ｂを誘導する遊技球誘導通路２１と、遊技球誘導通路２１の遊技球出口２１ｂから排出された遊技球Ｂを一旦受けた後、前方へ落下させるステージ部３０と、を備えている。ステージ部３０は、可変入賞装置１１の直上位置にあり、ステージ部から遊技球Ｂを遊技領域内に落下させることで、可変入賞装置１１に入球し易くしたり、入球しそうな状態を頻繁に作り出すことができる。ステージ部３０の前端縁３０ａは遊技盤面とほぼ同じ位置にある。
遊技球誘導通路２１が設けられた左側とは反対側のステージ部右側には、前飾り板３５とギミック（可動盤面部品）３６が配置されており、前飾り板３５の奥側には凹所（可動盤面部品収納部）３７が形成されている。凹所３７は、図示の収納位置から図柄表示装置９側へ突出した位置との間を往復動作するギミック（可動盤面部品）３６が図示の収納位置に停止しているときにこれを収容するためのスペースである。前飾り板３５は、前面に遊技内容と関連した絵柄等を表示する手段であるが、図示しないギヤ機構によって左右方向へ回動するギミック３６が収納位置にあるときにこれに圧接して停止位置がずれることがないようにするストッパとしても機能している。
【００１２】
一方、ステージ部３０の前端縁の下側の遊技盤面には複数の遊技釘４０が配列されており、左上から流下してきた遊技球Ｂを上始動ポケット１４に導くための遊技球経路４１を形成している。
本発明の特徴的な構成は、ステージ部３０の前端縁３０ａに沿って前方へオーバーハングする庇片３１を一体的に突設することにより、遊技球経路４１とステージ部３０の上面との間を仕切るようにした点にある。庇片３１の上面は、ステージ部３０の上面と連続した面となっている。従って、ステージ部上面が前方へ更に延長形成された状態となっており、ステージ部上面と庇片上面とから成る広いステージ面上に移動してきた遊技球が従来にない特殊な挙動をした上で下方へ落下してゆくこととなり、遊技の興趣を高めることが可能となる。
【００１３】
薄板状の庇片３１は、遊技球経路４１内を矢印Ａ方向へ進行する遊技球Ｂが上始動ポケット１４の近傍に設けた遊技釘等に衝突して斜め上方に跳ねて凹所３７内に侵入することを防止するようにその突出長、突出幅を適切に設定されている。即ち、庇片３１は、上始動ポケット１４の直上位置を含むステージ部の中央部に相当する中央部（庇片中央部）３１Ａと、凹所が設けられた一側方へ延びる側方部（庇片側方部）３１Ｂとから連続形成されている。
庇片３１を取り付ける範囲は、この例では前端縁３０ａの中央部から右寄り位置としたが、これは凹所３７がステージ部の右側に位置しているために中央部のみならず右側寄りに庇片を延長配置することによって凹所内への飛び込みを確実に防止するための配慮である。
このように本発明では、遊技球が凹所３７内に入り込むことを防止する庇片３１を設けたため、凹所内に遊技球が溜まった状態が遊技中に継続することがなくなり、遊技者に目障りな不快感を催させて興趣を低下させることがなくなる。
【００１４】
また、ギミック（可動盤面部品）３６が凹所３７内に収納されている時に遊技球が溜まっていると、ギミック３６を凹所内の正規の位置で停止させることができなくなって、ギミックの一部が遊技領域側に突出したり、作動不良となったり、故障に陥る等々の不具合も発生するが、本発明によればそのような不具合も未然に防止することができる。
なお、庇片３１には、必要に応じてステージ部上面の遊技球を上始動ポケット１４へ導く導入穴３１ａを形成してもよいし、或いは遊技球を上始動ポケット１４以外の遊技領域に導く導入穴３１ｂを形成してもよい。本実施形態に係る庇片３１は中央部が上向きに盛り上がった曲面となっており、この曲面の頂部に導入穴３１ａを設けている一方で、中央部の曲面の右側に連設された下向きの曲面部に導入穴３１ｂを設けているため、庇片の上面に移動した遊技球は変化に富んだ挙動をすることができる。また、庇片３１がこのように波形に湾曲した曲面が連続した形状を有しているため、遊技釘にて上方に跳ねた遊技球は庇片下面で更に跳ねて意外性に富んだ方向へ移動する。このため、遊技上の興趣を高めることができる。
【図面の簡単な説明】
【００１５】
【図１】本発明の実施の形態に係るパチンコ遊技機の全体正面図である。
【図２】図１の要部を斜め上方から見た斜視図である。
【図３】庇片の構成を示す拡大斜視図である。
【図４】従来のパチンコ遊技機の全体正面図である。
【図５】図４の要部を斜め上方から見た斜視図である。
【符号の説明】
【００１６】
１…パチンコ遊技機、２…枠、３…遊技盤、４…皿部、５…発射レバー、６…操作部、１０…普通図柄表示装置、１１…可変入賞装置、１２…ゲート、１３…大入賞口、１４…上始動ポケット（特定入賞口）、１５…風車、１６…普通入賞口、１７…電動式チューリップ、１８…アウト口、２０…遊技球誘導装置、２１…遊技球誘導通路、２１ａ…遊技球入口、２１ｂ…遊技球出口、３０…ステージ部、３０ａ…前端縁、３１…庇片、３１ａ…導入穴、３１ｂ…導入穴、３５…前飾り板、３６…ギミック（可動盤面部品）、３７…凹所、４０…遊技釘、４１…遊技球経路
【図１】
0004717090.tif 000002
【図２】
0004717090.tif 000003
【図３】
0004717090.tif 000004
【図４】
0004717090.tif 000005
【図５】
0004717090.tif 000006